(57)【特許請求の範囲】
【請求項１】
遊技機に設けられる電飾装置であって、遊技機前方側に光を発する複数の発光体を有するランプ基板と、前記複数の発光体の前方側に設けられて前記複数の発光体が発する光を透過させて間接光として前記遊技機前方側に送るカバーとを有し、前記カバーには、さらに、前記複数の発光体のうちのいくつかと対向する位置に前記発光体の発する光の一部の通過を許容し直接光として前記遊技機前方側に送るための孔部が形成されており、
かつ、前記ランプ基板と前記カバーとの相対的位置関係をアクチュエータによって可変させて、前記複数の発光体のいくつかの前方位置に前記孔部を位置させて前記発光体の光軸と前記孔部とを合致させて前記発光体の光が前記孔部を透過して前記遊技機前方側に直接光として発せられる位置関係と、前記発光体の前方位置から前記孔部をずらして前記発光体の光軸から前記孔部をずらすことで前記発光体の光が前記カバーを透過して前記遊技機前方側に間接光として発せられる位置関係とに可変になっていることを特徴とする遊技機における電飾装置。
【請求項２】
請求項１に記載の遊技機における電飾装置であって、
カバーに形成された孔部の数が、発光体の数よりも少ない構成になっていることを特徴とする遊技機における電飾装置。
【発明の詳細な説明】
【０００１】
【発明の属する技術分野】
本発明は、遊技機に設けられる電飾装置に関する。
【０００２】
【従来の技術】
パチンコ機等の遊技機に設けられる電飾装置は、複数の発光体と、発光体を被うカバー（レンズともいう）とを有しており、カバーを透過する間接光によって電飾効果を発揮するとともに、必要に応じてその間接光を点滅させることで遊技の趣向性を高めている。なお、カバーの大きさや配色、光の点滅パターン等には多くのバリエーションがある。
【０００３】
【発明が解決しようとする課題】
しかしながら、従来の手法の枠内で、単にカバーの形状や配色といったデザインを変えるだけでは機能的な面で目新しさに欠け、電飾効果をさらに高めたいとの要請に応え難い。だからといって、複雑な構成を採用して電飾効果の向上を図ることは製品全体のコストアップを招くので部品の性格上好ましくなく、また、高級材料を使用して趣向を凝らすのも費用対効果の見地より採用し難い。
【０００４】
本発明は上記の事情に鑑みてなされたもので、その目的とするところは、製品コストを増加させることなく、遊技機に設けられる電飾装置を電飾効果のより高いものにすることである。
【０００５】
【課題を解決するための手段】
この課題は、前記各請求項に記載した構成の電飾装置により解決される。ここで、間接光とは間に置かれた他の物を透過して光を送る状態に関し、直接光とは間に他の物を介在させないで光を送る状態に関する。
【０００６】
請求項１の発明では、電飾装置に設けられる発光体の光は、一部がカバーを透過する間接光となって送られ、一部がカバーの孔部を通過する直接光として送られる。すなわち、孔部を通過する発光体の光が直接的に遊技者の目に入るようになるのでインパクトがあり、比較的簡素な構成でもって今までにない電飾効果を発揮することができる。
この場合、カバーを透過する光は散乱して広がり易くなり、孔部を通過する光はそのまま点光源となって光ることで電飾効果が高められる。
なお、上記の透光性カバーに着色したり、カット模様を施すなどして電飾効果をさらに高めるのが好ましい。
【０００７】
ところで、上記の電飾装置は単体に限るものではなく、盤面に配設する入賞受口装置をはじめとする遊技部品に組み込まれていても良い。これらの遊技部品は上記した電飾効果でよく目立つものとなる。
【０００８】
また請求項１の発明に係る電飾装置では、発光体を有するランプ基板とカバーの相対的位置関係が変化し、発光体の光軸が孔部と合致して発光体の光が孔部を透過して直接光となる位置関係と、発光体の光軸が孔部からずれて発光体の光がカバーを透過して間接光となる位置関係とに可変になっている。これにより、光がカバーの孔部を通過したりしなかったりすることで、今までとは趣の異なった動的な表現が可能になっている。
【０００９】
【発明の実施の形態】
以下、本発明の実施形態を図に基づいて説明する。図１はパチンコ機の正面図である。パチンコ機１の機枠２の前面側に開閉自在に設けられた略額縁状の前枠３には遊技盤４が取り付けられており、遊技盤４の前面中央部が案内レールで丸く囲まれた遊技領域４ａとなっている。この遊技領域４ａに各種の遊技部品、具体的には、風車部品５、入賞受口装置６、サイドランプ７、図柄表示装置８、障害釘等が配設されている。
また、前枠３の上縁部位置には発光体を有する大型電飾装置９が取り付けられている。図中の、１０は打球発射用の操作ハンドル、５’は風車部品、６’は大入賞口と一体に形成された入賞受口装置である。なお、この前枠３には前面ガラス扉（図示省略）が設置されるようになっている。
【００１０】
次に、電飾装置が組み込まれている前記入賞受口装置６について説明する。
図２は入賞受口装置の斜視図、図３は入賞受口装置の分解斜視図、図４は入賞受口装置の正面図、図５は入賞受口装置の一部断面側面図である。入賞受口装置６は、受口本体１１と、カバー１２とランプ基板１３とからなり、受口本体１１及びカバー１２は着色された透光性のある（あるいは無色透明の）合成樹脂で成形されている。この受口本体１１は、遊技盤４の盤面に取り付けるためのベース部１１ａの前面側にポケット部１１ｂが突設され、後面（取付面）側には、入賞口１１ｃに入ったパチンコ球を盤面直角方向に導くガイド（通路）１１ｄが突設され、ベース部１１ａの下部に窓孔１１ｅが形成されている。
【００１１】
上記のランプ基板１３は、本発明でいうところの発光体である発光ダイオード（以下、ＬＥＤという）が複数（本例では３個）取り付けられており、各ＬＥＤ１３ａ〜１３ｃを窓孔１１ｅに臨ませた状態にしてベース部１１ａの裏面にビス１３ｄにて固定されている。なお、各ＬＥＤ１３ａ〜１３ｃは図示省略のリード線を介して電源に接続される。
一方、カバー１２は窓孔１１ｅを被う位置に取り付けられ、このカバー１２には、光を通過させる孔部（本例ではＬＥＤとほぼ同径の貫通孔）１２ａが一つのＬＥＤ１３ｂの光軸（中心軸線）上となる位置一箇所に形成されており、他の二つのＬＥＤ１３ａ，１３ｃの光はカバー１２に当たるようになっている。なお、１１ｆはカバー１２をベース部１１ａに固定するビスである。
【００１２】
この入賞受口装置６では、各ＬＥＤ１３ａ〜１３ｃが同時に発する光のうち、カバー１２の透過部を透過する間接光は散乱して広がり易くなり、孔部１２ａを通過する光は点光源となって直接的に遊技者の目に入るようになるので、今までにない電飾効果を発揮することができる。
【００１３】
ところで、各ＬＥＤ１３ａ〜１３ｃの色は同じである必要はないから、ＬＥＤ１３ｂの光りが窓孔１１ｅと孔部１２ａを通って直接的に発せられるときの色調と、カバー１２がＬＥＤ１３ｂ，１３ｃに照らされたときの色調とを異ならしめて際立たせることもできる。ＬＥＤに代えて電球等その他の発光手段を用いても良い。
なお、カバー１２に適宜なカット模様を形成し、光を屈折あるいは反射させて電飾効果をさらに高めるようにするのが好ましい。
【００１４】
次に、本発明でいう電飾装置の一つであるサイドランプ７について説明する。図６はサイドランプの斜視図、図７はサイドランプの分解斜視図、図８はサイドランプの正面図、図９はサイドランプの側面図である。
サイドランプ７は、通常、遊技領域４ａの周縁部に配設されるものであって、ベース部材１４と、レンズ部材１５と、ランプ基板１６とからなる。ベース部材１４は彩色やメッキの処理が施されており、開口部１４ａに透光性のある合成樹脂製レンズ部材１５がはめ込まれた状態にして、皿孔１４ｂを利用して遊技盤４にビス止めされる。そして、レンズ部材１５の裏面の取付脚１５ａに、ＬＥＤ１７（１７ａ〜１７ｆ）を有するランプ基板１６が取り付けられている。この場合、レンズ部材１５が本発明でいうカバーである。
【００１５】
レンズ部材１５は、適宜なカット模様が施され、かつ、四つのＬＥＤ１７ａ，１７ｃ，１７ｄ，１７ｆに対応する位置に４カ所の孔部１５ｂ〜１５ｅが形成されている。すなわち、それらの四つのＬＥＤが発する光の一部は孔部１５ｂ〜１５ｅを通過して直接的に遊技者の目に飛び込むが、残り二つのＬＥＤ１７ｂ，１７ｅの光はレンズ部材１５の透過部を透過するときにそのレンズ部材１５を部分的に明るく照らし出し、屈折したり反射したりする。したがって、従来より変化に富んだ電飾装置となり得る。
【００１６】
ところで、上記のサイドランプ７にカバーレンズを被せることも考えられる。図１０はカバーレンズを有する別例に係るサイドランプの斜視図、図１１は同サイドランプの分解斜視図である。両図に示すサイドランプ２１は、ベース部材２２と、レンズ部材２３と、ランプ基板２４と、カバーレンズ２５からなる。このサイドランプ２１の基本構成は、カバーレンズ２５をベース部材２２の前面に着けたこと以外、前述のサイドランプ７の基本構成と変わるところはない。図中の２８はカバーレンズ２５をレンズ部材２３に取り付ける取付部材である。
すなわち、ランプ基板２４に取り付けられているＬＥＤ２６の光は、レンズ部材２３の透過部を透過するものと、レンズ部材２３の孔部２３ａ〜２３ｄを通過するものとがあり、どちらの光もカバーレンズ２５に当たるようになっている。したがって、前述のサイドランプ７と同様の作用効果を奏することができ、さらに、カバーレンズ２５の効果で立体感のある装飾が可能な電飾装置となる。
【００１７】
次に、大型電飾装置９について説明する。図１２はパチンコ機の斜視図、図１３は同パチンコ機の分解斜視図である。パチンコ機１の前枠３の上縁部及び左右縁部に、それぞれ多数のＬＥＤ３０〜３０を有するランプ基板３１，３２，３３が取り付けられ、それらの上に、略コ字状のレンズ部材３４（カバーともいう）が被せるように取り付けられている。レンズ部材３４にはいくつかのＬＥＤ３０に対向する位置に、ＬＥＤ３０とほぼ同径の貫通孔３５が形成されている。貫通孔３５の孔数はＬＥＤ３０の個数より少ない。したがって、貫通孔３５（孔部）を通過する光と、レンズ部材３４の透過部を透過する光とができる。
この場合、ＬＥＤ３０の光はレンズ部材３４を透過するときに屈折あるいは反射してレンズ部材３４を部分的に照らし出す一方、貫通孔３５を通過する光はそのまま点光源となって直接的に遊技者の目に入るので電飾効果を高め易い。
【００１８】
次に、大型電飾装置の別例を説明する。図１４はパチンコ機の斜視図、図１５は同パチンコ機の大型電飾装置を説明する分解斜視図である。この大型電飾装置４１は、前述の大型電飾装置９のレンズ部材３４（カバーともいう）を、レンズ部材４２とその上に被せるカバーレンズ４４のセットに取り替えたものであり、レンズ部材４２にはＬＥＤ３０の個数より少ない数の貫通孔４３が形成されている。
したがって、前述のサイドランプ２１とほぼ同様の作用効果を奏し、レンズ部材４２を透過した光と孔部を通過した光の二種類の光によりカバーレンズ４４が間接的に光ることで今までとは趣の異なる装飾が可能になる。
【００１９】
次に、電飾装置の他の実施形態について説明する。図１６は電飾装置の斜視図、図１７は電飾装置の分解斜視図、図１８は電飾装置の正面図、図１９は電飾装置の背面を見る斜視図、図２０は電飾装置の横断面を見る斜視図である。
上図に示す電飾装置５０は、ベース部材５１と、ランプ基板５２と、レンズ部材５３（カバーともいう）と、アクチュエータ５４と、装飾カバ５５（カバーレンズともいう）とからなり、遊技盤に配設された状態で発光体とカバーが相対移動するように構成されたものである。
【００２０】
ベース部材５１の中央に開口部５１ａが形成されており、その開口部を塞ぐように配置されるレンズ部材５３が、ベース部材５１の裏面に取り付けられたアクチュエータ５４の作動で盤面と平行に往復移動するようになっている。ＬＥＤ５２ａを有するランプ基板５２はレンズ部材５３の背面側に位置し、ベース部材５１の取付脚５１ｂに固定されている。５２ｂはねじ止め用の孔である。
【００２１】
これに対してレンズ部材５３は開口部５１ａ内を左右にスライド可能に形成され、かつ、ＬＥＤ５２ａに対応する位置に当該ＬＥＤとほぼ同径の貫通孔（孔部）５３ａが設けられ、レンズ部材５３の一端から延びる支持片５３ｂがアクチュエータ５４のロッド５４ａに接続されている。レンズ部材５３は、通常、無色か又は色の付いた透光性の合成樹脂製で、適宜なカット模様が施されている。
そして、ベース部材５１の前面に装飾カバ５５が取り付けられ、窓孔５５ａからＬＥＤ５２ａの光が発せられるようになっている。
【００２２】
次に、上記のように構成された電飾装置５０の作用を説明する。図１８〜図２０に示す状態において、アクチュエータ５４のロッド５４ａは縮小状態になっており、ＬＥＤ５２ａの中心軸線（光軸）の位置は貫通孔５３ａからずれている。したがって、ＬＥＤ５２ａの光はレンズ部材５３の透過部を透過する。
そして、図２１及び図２２参照、アクチュエータ５４のロッド５４ａが伸びるとレンズ部材５３はＬＥＤ５２ａと貫通孔５３ａとの中心軸線が合致する位置にスライドし、ＬＥＤ５２ａの光が貫通孔５３ａを通過する。
【００２３】
すなわち、ＬＥＤ５２ａの光軸に交差する方向へのレンズ部材５３の動きによって、ＬＥＤ５２ａの光を直接的に送り出す場合と、間接的な透過光にして送り出す場合とに切り替えることができるので、色や屈折の具合を動的に変化させた趣向性の高い表現が可能である。
【００２４】
なお、上述の例とは逆に、レンズ部材（カバー）側を固定し、ＬＥＤ（発光体）側を可動に構成しても構わない。要は、発光体とカバーとの相対的位置関係が可変、特に、光軸と交差する方向への相対移動が可能とされ、光が透過部を透過する場合と、孔部を通過する場合とに切り替われば良い。
この他、当業者の知識に基づき、種々の変更を加えた態様で本発明を実施し得ることは勿論である。
【００２５】
【発明の効果】
本発明によれば、遊技機の電飾装置の電飾効果を、製品コストを増加させることなく比較的簡単な構造でもって高めることができるという効果がある。
【図面の簡単な説明】
【図１】パチンコ機の正面図である。
【図２】入賞受口装置の斜視図である。
【図３】入賞受口装置の分解斜視図である。
【図４】入賞受口装置の正面図である。
【図５】入賞受口装置の一部断面側面図である。
【図６】サイドランプの斜視図である。
【図７】サイドランプの分解斜視図である。
【図８】サイドランプの正面図である。
【図９】サイドランプの一部断面側面図である。
【図１０】別例に係るサイドランプの斜視図である。
【図１１】別例に係るサイドランプの分解斜視図である。
【図１２】パチンコ機の斜視図である。
【図１３】大型電飾装置を説明するパチンコ機の分解斜視図である。
【図１４】別例に係るパチンコ機の斜視図である。
【図１５】大型電飾装置の別例を説明するパチンコ機の分解斜視図である。
【図１６】他の実施形態に係る遊技機における電飾装置の斜視図である。
【図１７】同電飾装置の分解斜視図である。
【図１８】同電飾装置の正面図である。
【図１９】同電飾装置を背面から見た斜視図である。
【図２０】同電飾装置の横断面を見る斜視図である。
【図２１】同電飾装置の横断面を見る斜視図である。
【図２２】同電飾装置の正面図である。
【符号の説明】
１  パチンコ機
２  機枠
３  前枠
４  遊技盤
６  入賞受口装置（電飾装置）
７，２１  サイドランプ（電飾装置）
９，４１  大形電飾装置
１２  カバー
１５，２３，３４，４２，５３  レンズ部材（カバー）
１２ａ，１５ｂ〜１５ｅ，２３ａ〜２３ｄ，３５，４３  孔部
１３，１６，２４，３１，３２，３３  ランプ基板
１３ａ〜１３ｃ，１７，２６，３０  ＬＥＤ（発光体）
【図１】
0003771082.tif 000002
【図２】
0003771082.tif 000003
【図３】
0003771082.tif 000004
【図４】
0003771082.tif 000005
【図５】
0003771082.tif 000006
【図６】
0003771082.tif 000007
【図７】
0003771082.tif 000008
【図８】
0003771082.tif 000009
【図９】
0003771082.tif 000010
【図１０】
0003771082.tif 000011
【図１１】
0003771082.tif 000012
【図１２】
0003771082.tif 000013
【図１３】
0003771082.tif 000014
【図１４】
0003771082.tif 000015
【図１５】
0003771082.tif 000016
【図１６】
0003771082.tif 000017
【図１７】
0003771082.tif 000018
【図１８】
0003771082.tif 000019
【図１９】
0003771082.tif 000020
【図２０】
0003771082.tif 000021
【図２１】
0003771082.tif 000022
【図２２】
0003771082.tif 000023